(57)【要約】      （修正有）【課題】支持体を弾力的に吊り持ち支持する弾性体を支持体の外周側に配置して、全方位の振動を吸収できかつ耐荷重を大きくできるようにするしたインシュレータを提供する。【解決手段】天井部４ｂに開口１０を有しかつ内部が空洞の台枠４と、この台枠４内に配置されていて上部が開口１０から上方に突出して機器３を載置可能な支持体５と、この支持体５の下部に設けられた連結板６と、この連結板６と台枠４の天井部４ｂとの間に設けられていて支持体５を弾力的に吊り持ち支持する弾性体７とを有する。【選択図】図２
0003206017.tif 000002
【実用新案登録請求の範囲】
【請求項１】
天井部に開口を有しかつ内部が空洞の台枠と、この台枠内に配置されていて上部が開口から上方に突出して機器を載置可能な支持体と、この支持体の下部に設けられた連結板と、この連結板と台枠の天井部との間に設けられていて支持体を弾力的に吊り持ち支持する弾性体とを有することを特徴とするインシュレータ。
【請求項２】
前記支持体は上部の上面に円錐形の凹みを有し、弾性体は支持体の上面が台枠の天井部の上面に下降するまで伸長可能であることを特徴とする請求項１に記載のインシュレータ。
【請求項３】
前記弾性体は支持体の周囲に周方向等間隔に複数個配置されており、各弾性体はゴム体の上下面に取付板を固着して形成しており、上取付板が天井部の下面に固定され、下取付板が連結板の上面に固定されていることを特徴とする請求項１又は２に記載のインシュレータ。
【請求項４】
前記弾性体は支持体を取り囲むリング形状に形成されており、弾性体はリング状ゴム体の上下面にリング状取付板を固着して形成しており、上取付板が天井部の下面に固定され、下取付板が連結板の上面に固定されていることを特徴とする請求項１又は２に記載のインシュレータ。
【請求項５】
前記台枠は円筒状の胴部の上部に天井部を有し、胴部の下部に胴部より大径のフランジ形状の設置部を有することを特徴とする請求項１〜４のいずれか１項に記載のインシュレータ。
【考案の詳細な説明】
【技術分野】
【０００１】
本考案は、免震台、防振台として使用されるインシュレータに関する。
【背景技術】
【０００２】
スピーカ、アンプ、レコードプレーヤ等のオーディオ機器を床上に設置する場合に、それらの機器から生じる振動が設置面や他の機器に干渉させないために、機器と設置面との間にインシュレータを配置する。このインシュレータは機器の振動を吸収したり、振動を速やかに逃がしたりする。
この種のインシュレータには、側面視略コ字状のバネ鋼製支持部と、この支持部の上部に上端が連結されたワイヤと、このワイヤの下端に連結された固定部と、支持部に跨っていて固定部に載置連結される機器載置用本体部とを有し、支持部の上下弾性変形で機器の振動を吸収するもの（特許文献１）、また、門形のスプリングブラケットと、このスプリングブラケットの天井部に固定のゴム製連結部材と、この連結部材の下部に固定のサポートブラケットと、スプリングブラケットを跨いでサポートブラケットに固定されていて機器を載置する天板とを有し、連結部材の全方位の弾性変形で機器の振動を吸収するもの（特許文献２）がある。
【先行技術文献】
【特許文献】
【０００３】
【特許文献１】特許第５１４５３１０号公報
【特許文献２】実用新案登録第３１８３５４４号公報
【考案の概要】
【考案が解決しようとする課題】
【０００４】
前記特許文献１の技術は、ワイヤに吊り下げられるので水平方向の自由度はあるが、支持部は上下方向に弾性変形するだけで、水平方向の振動吸収作用は低いものである。
前記特許文献２の技術は、全方位で弾性変形して振動を吸収できるが、連結部材がスプリングブラケット及びサポートブラケットの内側に配置されているので、ゴム体積を大きくすることが難しく、耐荷重を大きくし難いものとなっている。
【０００５】
本考案は、このような従来技術の問題点を解決できるようにしたインシュレータを提供することを目的とする。
本考案は、支持体を弾力的に吊り持ち支持する弾性体を支持体の外周側に配置して、全方位の振動を吸収できかつ耐荷重を大きくできるようにしたインシュレータを提供することを目的とする。
【課題を解決するための手段】
【０００６】
本考案における課題解決のための具体的手段は、次の通りである。
第１に、天井部に開口を有しかつ内部が空洞の台枠と、この台枠内に配置されていて上部が開口から上方に突出して機器を載置可能な支持体と、この支持体の下部に設けられた連結板と、この連結板と台枠の天井部との間に設けられていて支持体を弾力的に吊り持ち支持する弾性体とを有することを特徴とする。
【０００７】
第２に、前記支持体は上部の上面に円錐形の凹みを有し、弾性体は支持体の上面が台枠の天井部の上面に下降するまで伸長可能であることを特徴とする。
第３に、前記弾性体は支持体の周囲に周方向等間隔に複数個配置されており、各弾性体はゴム体の上下面に取付板を固着して形成しており、上取付板が天井部の下面に固定され、下取付板が連結板の上面に固定されていることを特徴とする。
【０００８】
第４に、前記弾性体は支持体を取り囲むリング形状に形成されており、弾性体はリング状ゴム体の上下面にリング状取付板を固着して形成しており、上取付板が天井部の下面に固定され、下取付板が連結板の上面に固定されていることを特徴とする。
第５に、前記台枠は円筒状の胴部の上部に天井部を有し、胴部の下部に胴部より大径のフランジ形状の設置部を有することを特徴とする。
【考案の効果】
【０００９】
本考案によれば、支持体の全方位の振動を吸収できかつ耐荷重を大きくできる。
即ち、請求項１に係る考案は、台枠の天井部の開口から支持体の上部を突出し、支持体の下部と天井部との間に弾性体を設けているので、支持体をその外側の弾性体で吊り持ち支持でき、支持体に加わる全方位の振動を吸収できかつ耐荷重を大きくできる。
請求項２に係る考案は、支持体は上面の円錐形凹みにより機器の載置位置を適正にでき、最大の下方振動を制限することができる。
【００１０】
請求項３に係る考案は、弾性体は複数個で支持体を吊り持ち支持でき、天井部及び連結板との固定も強固にできる。
請求項４に係る考案は、弾性体は支持体を取り囲んで吊り持ち支持でき、天井部及び連結板との固定も強固にできる。
請求項５に係る考案は、台枠を強固で設置安定性のある形状にすることができる。
【図面の簡単な説明】
【００１１】
【図１】本考案の実施形態を示す平面図である。
【図２】図２のＸ−Ｘ線断面図である。
【図３】支持体、連結板及び弾性体の斜視図である。
【図４】弾性体の変形例を示す斜視図である。
【考案を実施するための形態】
【００１２】
以下、本考案の実施の形態を図面に基づいて説明する。
図１〜３において、実施形態のインシュレータ１を示しており、インシュレータ１は床等のオーディオの機器３を設置する設置面２に複数個配置され、その上に機器３が載置される。
インシュレータ１は、内部が空洞の台枠４と、この台枠４内に配置されていて機器３を載置可能な支持体５と、この支持体５の下部に設けられた連結板６と、この連結板６と台枠４との間に設けられた弾性体７とを有する。
【００１３】
前記台枠４は金属または合成樹脂でハット形状に形成されており、円筒状の胴部４ａと、この胴部４ａの上部の天井部４ｂと、胴部４ａの下部の設置部４ｃとを有し、胴部４ａと天井部４ｂとは一体成形され、設置部４ｃは胴部４ａより大径のリングを胴部４ａの下端に固着してフランジ形状にしている。
台枠４の天井部４ｂは平坦形状であり、中央に開口１０が形成されており、この開口１０に円柱形状の支持体５が挿通されている。前記開口１０の半径は支持体５の半径より大きく、両者間には支持体５の水平移動を許容する隙間が形成されている。
【００１４】
支持体５は上部が開口１０に挿通していて天井部４ｂから上方に突出して機器３を載置可能であり、その上面５ａには中心に円錐形の凹み５ｂが形成されている。
機器３の脚にスパイクがある場合に、そのスパイクを凹み５ｂに載置することにより、機器３の脚と支持体５とを芯合わせすることができる。機器３に脚がない場合は、機器３は上面５ａに直接載置される。
【００１５】
連結板６は円盤形状でその中心が支持体５の下端にビスＢで締結されている。この連結板６は台枠４の胴部４ａ及び設置部４ｃの内周より若干小径であるが、支持体５より十分に大きく、支持体５の周囲に弾性体７を配置可能にしている。
弾性体７は支持体５の周囲に周方向等間隔に複数個（２〜４個またはそれ以上）配置されており、各弾性体７はゴム体１１の上下面に取付板１２、１３を固着して形成しており、上取付板１２が天井部４ｂの下面に固定され、下取付板１３が連結板６の上面に固定されている。
【００１６】
ゴム体１１は天然ゴム、合成ゴム、合成樹脂等の弾性及び耐候性のある材料で形成され、その上下面に窪みを形成し、その窪みに上下取付板１２、１３を挿入して焼き付け接合または接着剤接合により固着しており、荷重を受ける支持体５を引っ張り弾性により弾力的に支持している。
上取付板１２には雌ネジ１２ａが形成され、天井部４ｂの上方からビスＢを雌ネジ１２ａに螺合することにより、弾性体７の上部が天井部４ｂに固着される。下取付板１３には雄ネジ１４が設けられ、連結板６に螺合することにより、弾性体７の下部が連結板６に固着されている。
【００１７】
前記インシュレータ１は図２に示す状態が無負荷状態であり、支持体５の上面に機器３を載置すると、弾性体７のゴム体１１は伸長され、その伸長状態から機器３から生じる上下方向及び水平方向等の全方位の振動を吸収したり、振動を速やかに逃がしたりする。
台枠４の天井部４ｂからの支持体５の上部の突出量Ｈは、連結板６の下面と設置面２との間の空間高さｈと略等しく設定されており、支持体５の上面５ａに機器３の脚を載置しても、機器３を直接載置しても、支持体５の最大振幅は設置面２または台枠４の天井部４ｂの上面によって規制され、また、間違って過重な機器３を載置しても、支持体５の最大下降量は規制され、弾性体７のゴム体１１の過大な伸長は抑制される。
【００１８】
即ち、弾性体７は支持体５の上面が台枠４の天井部４ｂの上面に下降するまで伸長可能であり、また、弾性体７は支持体５の突出量Ｈと同等の伸長と無負荷状態からの圧縮とが可能な弾性性能を有する。
また、弾性体７は支持体５の外周側に配置されるので、台枠４の天井部４ｂの下面と連結板６の上面との間の空間を配置空間として利用でき、十分に体積の大きなものを配置でき、耐荷重を大きくすることが可能になる。
【００１９】
図４は、弾性体の変形例を示しており、この弾性体７Ａは１個で支持体５の周囲を取り囲むリング形状（ドーナツ形状）であり、ゴム体１１Ａも上下取付板１２Ａも相似形のリング形状であり、上取付板１２Ａには周方向等間隔に３つの雌ネジ１２ａが形成され、ビスを介して台枠４の天井部４ｂに固定可能になっている。
図示していないが、下取付板には上取付板１２Ａと同様に雌ネジが形成されていて、連結板６の下方からビスを螺合して、弾性体７の下部を連結板６に固着するようになっている。
【００２０】
前記弾性体７Ａは、幅の狭いリング形状に形成してもよいが、リング形状であるが故に前記実施形態の弾性体７よりも大きい体積にでき、耐荷重をより大きくでき、水平方向の振動吸収も、上下方向の振動吸収も全体的に作用することができ、また、そのリング形状の弾性変形でも３次元的な振動の吸収が可能になる。
また、弾性体７Ａは、実施形態の弾性体７と同一耐荷重にするならば、弾性体７Ａ及び台枠４の外形を小さくすることができ、インシュレータ１をコンパクトでかつ安価な形状にできる。
【００２１】
なお、本考案は前記実施形態における各部材の形状及びそれぞれの前後・左右・上下の位置関係は、図１〜４に示すように構成することが最良である。しかし、前記実施形態に限定されるものではなく、部材、構成、材質等を種々変更したり、組み合わせを変更したりすることもできる。
例えば、台枠４は設置部４ｃと胴部４ａとを一体成形したり、天井部４ｂを別個に形成して胴部４ａに固着したりしてもよい。前記胴部４ａは周方向複数箇所に開口を設けて軽量化を図ってもよい。
【００２２】
また、連結板６は支持体５と鍛造等で一体成形していてもよい。
さらに、弾性体７、７Ａは、ゴム体１１の上下面に窪みを形成して上下取付板１２、１３を固着しているが、上下取付板１２、１３の平面形状をゴム体１１の上下面と同一に形成して重合してもよい。
【符号の説明】
【００２３】
１        インシュレータ
２        設置面
３        機器
４        台枠
４ａ      胴部
４ｂ      天井部
４ｃ      設置部
５        支持体
５ａ      上面
５ｂ      凹み
６        連結板
７        弾性体
１０      開口
１１      ゴム体
１２      上取付板
１２ａ    雌ネジ
１３      下取付板
１４      雄ネジ
Ｂ        ビス
Ｈ        突出量
ｈ        空間高さ
【図１】
0003206017.tif 000003
【図２】
0003206017.tif 000004
【図３】
0003206017.tif 000005
【図４】
0003206017.tif 000006